(57)【要約】【課題】既存の集合住宅に設置されている郵便受けに対しても容易に改造・修繕を行う。【解決手段】集合住宅用郵便受けは、天板、側板、底板及び仕切り板によって区画された同一形状の複数の収納ボックスを備え、各収納ボックス毎に、枠付きの開閉扉を前面から取り付ける構造で、開閉扉１２０の枠１３０は、収納ボックス１１１〜１１８の内面に嵌り込む角筒状枠１３１と、角筒状枠１３１の前面縁から上下左右に伸びる額縁状枠１３２とを備え、額縁状枠１３２は、仕切り板１０４，１０５の幅の半分より若干狭い幅とされている。開閉扉１２０は蝶番１５１によって開閉可能に取り付けられ、額縁状枠１３２の左右の枠部分には本体側金具１５２を交わすことのできる切り欠き１３３Ｌ，Ｒが形成されている。角筒状枠１３１には扉受け１３４が上下に渡って形成されている。【選択図】  図１
0003141383.tif 000002
【実用新案登録請求の範囲】
【請求項１】
天板、側板、底板及び仕切り板によって区画された複数の収納ボックスを備え、前面に片開きの開閉扉を備えた郵便受けであって、以下の構成を採用したことを特徴とする集合住宅用郵便受け。
（１１）前記各収納ボックス毎に、枠付きの開閉扉を前面から取り付ける構造としたこと。
（１２）前記開閉扉の枠は、前記収納ボックスの内面に嵌り込む角筒状枠と、該角筒状枠の前面縁から上下左右に伸びる額縁状枠とを備え、該額縁状枠は、仕切り板の幅の半分より若干狭い幅とされていること。
（１３）前記開閉扉は、前記額縁状枠の左右一方側に前面から固定された蝶番によって開閉可能に取り付けられていること。
（１４）前記額縁状枠の左右の枠部分には、側板又は仕切り板に固定される本体側金具を交わすことのできる切り欠きが形成されていること。
（１５）前記角筒状枠には、前記蝶番が取り付けられる側と反対側の後縁を内側に屈曲させた扉受けが形成されていること。
（１６）前記開閉扉の自由端側の縁に、前記本体側金具と合わさって南京錠等の取り付け並びに開閉時の引き手となり得る扉側金具が取り付けられていること。
【請求項２】
天板、側板、底板及び仕切り板によって区画された複数の収納ボックスを備えた集合住宅用郵便受けに取り付けられる開閉扉であって、以下の構成を採用したことを特徴とする集合住宅用郵便受けのための開閉扉。
（２１）前記開閉扉の枠は、前記収納ボックスの内面に嵌り込む角筒状枠と、該角筒状枠の前面縁から上下左右に伸びる額縁状枠とを備え、該額縁状枠は、仕切り板の幅の半分より若干狭い幅とされていること。
（２２）前記開閉扉は、前記額縁状枠の左右一方側に前面から固定された蝶番によって開閉可能に取り付けられていること。
（２３）前記額縁状枠の左右の枠部分には、側板又は仕切り板に固定される本体側金具を交わすことのできる切り欠きが形成されていること。
（２４）前記角筒状枠には、前記蝶番が取り付けられる側と反対側の後縁を内側に屈曲させた扉受けが形成されていること。
（２５）前記扉の自由端側の縁に、前記本体側金具と合わさって南京錠等の取り付け並びに開閉時の引き手となり得る扉側金具が取り付けられていること。
【考案の詳細な説明】
【技術分野】
【０００１】
本考案は、アパート、マンション、公営住宅などの集合住宅に設置される郵便受けに関するものである。
【背景技術】
【０００２】
従来、図５（Ａ）に示す様に、集合住宅用の郵便受け５０として、天板５１、側板５２，５２’、底板５３及び仕切り板５４，５５によって区画された複数の収納ボックスを備えたものが知られている。そして、各収納ボックスには、仕切り板５５にスポット溶接で固定された蝶番５８ａ等を介して扉５７ａ等が装着されている。
【０００３】
こうした郵便受け５０は、公営住宅等に多く使用されてきたが、薄板で製作されていることから、子供達がサッカー等の遊びをする間に、ボールが当たったり、あるいは過失によって物をぶつけてしまったり、場合によっては故意により、扉５７ａ等がへこんだり、蝶番５８が破損したりして改修が必要になったとき、全体の取替を余儀なくされてることがあった。
【０００４】
このため、図５（Ｂ）に示す様に、箱物の縁部に嵌合可能な外周部４と第１のコーナージョイント嵌挿溝２並びに第２のコーナージョイント嵌挿溝３からなる同一断面形状の開口部用枠材１を適宜長さに留め切りして四方枠１４を形成し、該四方枠１４の四隅で互いに対向する第１のコーナージョイント嵌挿溝２と第２のコーナージョイント嵌挿溝３間にそれぞれＬ型ジョイント金具５を嵌挿固着することで四方枠１４を連結形成可能となし、該扉１７が前記開口部用枠材１からなる四方枠１４前面に形成され前記箱物の開口部の前面を化粧した箱物の開口部枠が提案された（特許文献１）。
【特許文献１】特開２００６−２３０５４２号公報（要約，代表図）
【考案の開示】
【考案が解決しようとする課題】
【０００５】
しかし、特許文献１が提案する扉は、ダイヤル錠１５を採用する必要があったり、構造が複雑であるなどから、製造コストが高くなるという問題があった。加えて、箱物に嵌合させた開口部枠自体が変形した場合には取り外しが困難になるという問題もあった。さらに、既存の集合住宅では、図５（Ａ）に示す従来型の集合郵便受け５０を撤去して新たに設置しなければならないという問題もある。
【０００６】
そこで、本考案は、構造が簡単で、取り付け・取り外しが容易で、かつ、既存の集合住宅に設置されている郵便受けに対しても容易に改造・修繕が可能な集合住宅用郵便受け及びその扉構造を提供することを目的とする。
【課題を解決するための手段】
【０００７】
上記目的を達成するためになされた本考案の集合住宅用郵便受けは、天板、側板、底板及び仕切り板によって区画された複数の収納ボックスを備え、前面に片開きの開閉扉を備えた郵便受けであって、以下の構成を採用したことを特徴とする。
（１１）前記各収納ボックス毎に、枠付きの開閉扉を前面から取り付ける構造としたこと。
（１２）前記開閉扉の枠は、前記収納ボックスの内面に嵌り込む角筒状枠と、該角筒状枠の前面縁から上下左右に伸びる額縁状枠とを備え、該額縁状枠は、仕切り板の幅の半分より若干狭い幅とされていること。
（１３）前記開閉扉は、前記額縁状枠の左右一方側に前面から固定された蝶番によって開閉可能に取り付けられていること。
（１４）前記額縁状枠の左右の枠部分には、側板又は仕切り板に固定される本体側金具を交わすことのできる切り欠きが形成されていること。
（１５）前記角筒状枠には、前記蝶番が取り付けられる側と反対側の後縁を内側に屈曲させた扉受けが形成されていること。
（１６）前記開閉扉の自由端側の縁に、前記本体側金具と合わさって南京錠等の取り付け並びに開閉時の引き手となり得る扉側金具が取り付けられていること。
【０００８】
上記目的を達成するためになされた本考案の集合住宅用郵便受けのための開閉扉は、天板、側板、底板及び仕切り板によって区画された複数の収納ボックスを備えた集合住宅用郵便受けに取り付けられる開閉扉であって、以下の構成を採用したことを特徴とする。
（２１）前記開閉扉の枠は、前記収納ボックスの内面に嵌り込む角筒状枠と、該角筒状枠の前面縁から上下左右に伸びる額縁状枠とを備え、該額縁状枠は、仕切り板の幅の半分より若干狭い幅とされていること。
（２２）前記開閉扉は、前記額縁状枠の左右一方側に前面から固定された蝶番によって開閉可能に取り付けられていること。
（２３）前記額縁状枠の左右の枠部分には、側板又は仕切り板に固定される本体側金具を交わすことのできる切り欠きが形成されていること。
（２４）前記角筒状枠には、前記蝶番が取り付けられる側と反対側の後縁を内側に屈曲させた扉受けが形成されていること。
（２５）前記扉の自由端側の縁に、前記本体側金具と合わさって南京錠等の取り付け並びに開閉時の引き手となり得る扉側金具が取り付けられていること。
【０００９】
これら本考案によれば、収納ボックスの前面側から角筒状枠を内面に嵌り込ませる様に枠を装着し、額縁状枠を、例えばビス及びナット、リベット等で固定することにより、開閉扉を容易に位置決めしつつ取り付けることができる。このとき、額縁状枠の幅は仕切り板の幅の半分より若干狭い幅となっているので、上下左右に隣合う開閉扉の枠同士で干渉することがない。このことにより、どの位地の開閉扉の取り替えも可能で、例えば一カ所だけ扉を交換するといったことも容易に実行できる。また、本体側金具を交わす切り欠きを備えているので、既存の金具をそのまま使用することができる。取り外しに当たっても、額縁状枠のビスを緩め、あるいはドリルでリベットを破壊するなどして、容易にこれを実行することができる。また、開閉扉の自由端を受ける扉受けが備えられているので、サッカーボール等が当たったときなど外部から扉に力が加わったときの抵抗力も備わっている。よって、取り付け・取り外しが容易であることに加えて、既存の部品をそのまま使用することや、従来品よりも強度を増すこともできている。
【考案の効果】
【００１０】
本考案によれば、既存の集合住宅に設置されている郵便受けに対しても容易に改造・修繕を行うことができる。こうした改造・修繕は繰り返し実行することができる。
【考案を実施するための最良の形態】
【００１１】
次に、本考案の実施の形態について説明する。実施形態の集合住宅用郵便受け１００は、ステンレス鋼板製の天板１０１、側板１０２、底板１０３及び仕切り板１０４，１０５によって区画された同一形状の複数の収納ボックス１１１〜１１８を備え、各収納ボックス毎に、枠付きの開閉扉１２０を前面から取り付ける構造となっている。
【００１２】
開閉扉１２０及び枠１３０は、ステンレス鋼板を板金加工して製造されており、収納ボックス１１１〜１１８の内面に嵌り込む角筒状枠１３１と、角筒状枠１３１の前面縁から上下左右に伸びる額縁状枠１３２とを備え、額縁状枠１３２は、仕切り板１０４，１０５の幅の半分より若干狭い幅とされている。
【００１３】
開閉扉１２０は、額縁状枠１３２の左側に前面からビス及びナットで固定された蝶番１５１によって開閉可能に取り付けられている。また、額縁状枠１３２の左右の枠部分１３２Ｌ，Ｒには、側板又は仕切り板にビス及びナットで固定された本体側金具１５２を交わすことのできる切り欠き１３３Ｌ，Ｒが形成されている。
【００１４】
角筒状枠１３１には、蝶番１５１が取り付けられる側と反対側の後縁を内側に屈曲させた扉受け１３４が上下に渡って形成されている。
【００１５】
そして、開閉扉１２０の自由端側の縁に、本体側金具１５２と合わさって南京錠等の取り付け並びに開閉時の引き手となり得る扉側金具１５３がビス及びナットで固定されている。
【００１６】
この郵便受け１００によれば、収納ボックス１１１等の前面側から角筒状枠１３１を内面に嵌り込ませる様に枠を装着し、額縁状枠１３２をビス及びナットで固定することにより、開閉扉１２０を容易に位置決めしつつ取り付けることができる。このとき、額縁状枠１３２の幅は仕切り板１０４，１０５の幅の半分より若干狭い幅となっているので、上下左右に隣合っている開閉扉の枠同士で干渉することがない。このことにより、どの位地の開閉扉の取り替えも可能で、例えば一カ所だけ扉を交換するといったことも容易に実行できる。また、本体側金具１５２を交わす切り欠き１３３Ｌ，Ｒを備えているので、既存の金具をそのまま使用することができる。取り外しに当たっても、額縁状枠１３２のビスを緩めれば容易にこれを実行することができる。また、開閉扉１２０の自由端を受ける扉受け１３４が角筒状枠１３１の上下に渡って備えられているので、サッカーボール等が当たったときなど外部から扉に力が加わったときの抵抗力も備わっている。よって、取り付け・取り外しが容易であることに加えて、既存の部品をそのまま使用することや、従来品よりも強度を増すこともできている。
【００１７】
この結果、本実施形態によれば、既存の集合住宅に設置されている郵便受けに対しても容易に改造・修繕を行うことができる。
【００１８】
以上、本考案の一実施の形態について説明したが、本考案はこの実施の形態に限られるものではなく、その要旨を逸脱しない範囲内においてさらに種々の形態を採用することができることはもちろんである。
【００１９】
例えば、枠の取り付け、蝶番の取り付け、本体金具の取り付けは、ビス及びナットではなく、リベットを用いてもよい。リベットを用いた場合であっても、リベットの軸径よりも細いドリルで孔をあけてやれば、リベット自体を破壊して取り外し作業を容易に実行することができる。また、素材もステンレス鋼に限らず、スチール製、アルミ合金製などを採用することができる。
【図面の簡単な説明】
【００２０】
【図１】実施形態の集合住宅用郵便受け示し、（Ａ）は正面図、（Ｂ）は開閉扉を外した状態の正面図、（Ｃ）は扉を閉じた状態の枠付き開閉扉の正面図、（Ｄ）は扉を開いた状態の枠付き開閉扉の正面図である。
【図２】実施形態の集合住宅用郵便受けにおいて、枠付き開閉扉を取り付ける状態を示す拡大正面図である。
【図３】実施形態の集合住宅用郵便受けのための枠付きの開閉扉の扉を少し開いた状態の斜視図である。
【図４】実施形態の集合住宅用郵便受けのための枠付きの開閉扉を示し、（Ａ）は底面図、（Ｂ）は左側面図、（Ｃ）は正面図、（Ｄ）は右側面図、（Ｅ）は背面図である。
【図５】従来技術の説明図である。
【符号の説明】
【００２１】
１００・・・集合住宅用郵便受け
１０１・・・天板
１０２・・・側板
１０３・・・底板
１０４，１０４・・・仕切り板
１１１〜１１８・・・収納ボックス
１２０・・・枠付きの開閉扉
１３０・・・枠
１３１・・・角筒状枠
１３２・・・額縁状枠
１３２Ｌ，１３２Ｒ・・・額縁状枠の左右枠
１３３Ｌ，１３３Ｒ・・・切り欠き
１３４・・・扉受け
１５１・・・蝶番
１５２・・・本体側金具
１５３・・・扉側金具
【図１】
0003141383.tif 000003
【図２】
0003141383.tif 000004
【図３】
0003141383.tif 000005
【図４】
0003141383.tif 000006
【図５】
0003141383.tif 000007